(57)【要約】【課題】  ハードキー入力モードとタッチパネル入力モードの切替を自動的に行うことを考えた場合、ハードキー入力モードからタッチパネル入力モードへ切り換えた後も、タッチパネルモードでフォーカス表示をしたままだと、ユーザにとって違和感がある操作性となる。【解決手段】  複数のキーとタッチパネル式の表示部を有する電子機器装置において、前記表示部内にタッチパネル用の仮想ボタンを形成するボタン形成手段と、前記仮想ボタンあるいは前記複数のキーが押下されたことを検知する検知手段と、仮想ボタンにフォーカス表示する表示制御手段とを有し、前記検知手段によって、前記複数のキーのいずれかの押下が検知されると前記表示制御手段は前記仮想ボタンをフォーカス表示し、前記仮想ボタンの押下が検知されると前記表示制御手段は前記仮想ボタンのフォーカス表示をしないように制御する。【選択図】  図４
2007011862.tif 000002
【特許請求の範囲】
【請求項１】
複数のキーとタッチパネル式の表示部を有する電子機器装置において、
前記表示部をタッチパネルとして利用するために前記表示部内に仮想ボタンを形成するボタン形成手段と、
前記ボタン形成手段によって形成された仮想ボタンあるいは前記複数のキーが押下されたことを検知する検知手段と、
仮想ボタンをフォーカス表示するように制御する表示制御手段とを有し、
前記検知手段によって、前記複数のキーのうちのいずれかの押下が検知されると前記表示制御手段は前記仮想ボタンをフォーカス表示するように制御し、前記仮想ボタンの押下が検知されると前記表示制御手段は前記仮想ボタンのフォーカス表示しないように制御することを特徴とする電子機器。
【請求項２】
前記複数のキーを用いて操作する第１モードと、前記仮想ボタンを用いて操作する第２モードを有し、
前記第１モードで操作中に前記第２モードへ遷移する際に、前記フォーカス表示状態を記憶しておき、その後第２モードから第１モードへ遷移する際に、前記表示制御手段は前記フォーカス表示状態に基づいて前記仮想ボタンをフォーカス表示するように制御することを特徴とする請求項１に記載の電子機器。
【請求項３】
前記複数のキーを用いて操作する第１モードと、前記仮想ボタンを用いて操作する第２モードを有し、
前記第１モードで操作中に前記第２モードへ遷移した後、再び前記第２モードから前記第１モードへ遷移する際に、前記表示制御手段は所定の仮想ボタンに対してフォーカス表示するように制御することを特徴とする請求項１に記載の電子機器。
【請求項４】
複数のキーとタッチパネル式の表示部を有する電子機器装置の制御方法において、
前記表示部をタッチパネルとして利用するために前記表示部内に仮想ボタンを形成するボタン形成工程と、
前記ボタン形成工程によって形成された仮想ボタンあるいは前記複数のキーが押下されたことを検知する検知工程と、
仮想ボタンをフォーカス表示するように制御する表示制御工程とを有し、
前記検知工程によって、前記複数のキーのうちのいずれかの押下が検知されると前記表示制御工程は前記仮想ボタンをフォーカス表示するように制御し、前記仮想ボタンの押下が検知されると前記表示制御工程は前記仮想ボタンのフォーカス表示しないように制御することを特徴とする電子機器の制御方法。
【請求項５】
前記複数のキーを用いて操作する第１モードと、前記仮想ボタンを用いて操作する第２モードを有し、
前記第１モードで操作中に前記第２モードへ遷移する際に、前記フォーカス表示状態を記憶しておき、その後第２モードから第１モードへ遷移する際に、前記表示制御工程は前記フォーカス表示状態に基づいて前記仮想ボタンをフォーカス表示するように制御することを特徴とする請求項４に記載の電子機器の制御方法。
【請求項６】
前記複数のキーを用いて操作する第１モードと、前記仮想ボタンを用いて操作する第２モードを有し、
前記第１モードで操作中に前記第２モードへ遷移した後、再び前記第２モードから前記第１モードへ遷移する際に、前記表示制御工程は所定の仮想ボタンに対してフォーカス表示するように制御することを特徴とする請求項４に記載の電子機器の制御方法。
【発明の詳細な説明】
【技術分野】
【０００１】
本発明は、表示装置における操作方法に関するもので、特にハードキーとタッチパネルとを併用する際の操作方法に関するものである。
【背景技術】
【０００２】
従来、ハードキーとタッチパネルを併用した操作手段を持つ表示装置が広く知られている（例えば、特許文献１参照）。これらの装置には操作パネル及び操作パネルの入力操作切替方法を用いた装置のようにユーザが特定の操作を行うことでハードキー入力モードとタッチパネル入力モードを切り替えるものがある。この装置は特定の操作として［操作切替］キースイッチを用いている。
【０００３】
また、別の従来の技術として、ハードキーとタッチパネルを併用しながら操作を行う表示装置も存在する。この装置は常に表示部にフォーカスが表示されており、ハードキーで操作を行うとフォーカスが移動し、タッチパネルで操作を行うとフォーカス位置は無視されてタッチパネルで押下した位置が選択される。
【特許文献１】特開２００４−２３４１８０
【発明の開示】
【発明が解決しようとする課題】
【０００４】
上記特許文献１では、ハードキー入力モードとタッチパネル入力モードを切り替えるためにはユーザは［操作切替］キースイッチを押下しなくてはならないため、操作手順が多くなったり、操作方法を知らないユーザにとっては困難な操作手段となっていた。
【０００５】
また、ハードキーとタッチパネルを併用しながら操作を行う表示装置においては、本来タッチパネル入力モードではフォーカスは不必要であるにもかかわらず常に表示部に表示されているために、タッチパネルで操作するユーザにとってはフォーカス部分以外を触ることを躊躇してしまったり、表示部の表示が煩雑になってしまったり、と視覚的にフォーカスが無い場合と比べて混乱を招きやすいものになってしまっていた。
【課題を解決するための手段】
【０００６】
本発明はかかる課題を解決するために為されたものであり、複数のキーとタッチパネル式の表示部を有する電子機器装置において、前記表示部をタッチパネルとして利用するために前記表示部内に仮想ボタンを形成するボタン形成手段と、前記ボタン形成手段によって形成された仮想ボタンあるいは前記複数のキーが押下されたことを検知する検知手段と、仮想ボタンをフォーカス表示するように制御する表示制御手段とを有し、前記検知手段によって、前記複数のキーのうちのいずれかの押下が検知されると前記表示制御手段は前記仮想ボタンをフォーカス表示するように制御し、前記仮想ボタンの押下が検知されると前記表示制御手段は前記仮想ボタンのフォーカス表示しないように制御することを特徴とする。
【０００７】
上記構成を取ることによって、ハードキー入力モードとタッチパネル入力モードの切替を自動的に行うことができ、ハードキー入力モードの時にユーザがタッチパネルを触ることでタッチパネル入力モードに遷移し、タッチパネル入力モードの時にユーザがハードキーを触ることでハードキー入力モードに遷移する。これにより、ユーザは入力モードを切り替える際、少ない手順で行うことができ、また入力モードを切り替える手段を知らなくても問題が無くなる。
【発明の効果】
【０００８】
ハードキー入力モードとタッチパネル入力モードの切替を自動的に行うことができ、ハードキー入力モードの時にユーザがタッチパネルを触ることでタッチパネル入力モードに遷移し、タッチパネル入力モードの時にユーザがハードキーを触ることでハードキー入力モードに遷移する。これにより、ユーザは入力モードを切り替える際、少ない手順で行うことができ、また入力モードを切り替える手段を知らなくても問題が無くなる。
【発明を実施するための最良の形態】
【０００９】
（実施例）
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【００１０】
以下、本発明の一実施形態としての表示装置を説明する。図１は、実施形態の表示装置の構成例を示す構成図である。
【００１１】
図１において１００は装置全体を制御するための中央演算処理部（ＣＰＵ）であり、１０１はプログラムおよびデータを記憶するＲＯＭ、１０２は個人データなどのバックアップ用のデータを格納する不揮発性ＲＡＭ、１０３はＣＰＵワークスペース、フォーカス位置記憶エリアなどの一時記憶領域などから成る記憶部（ＤＲＡＭ）である。１０５はグラフィックや、タッチパネルを用いて操作するタッチボタンなど、画面情報をカラー表示する表示部、１０６はユーザが操作を行うボタンで構成される操作部である。
【００１２】
図２は、表示部１０５の構成図である。表示部１０５は、表示データを記憶するＶＲＡＭ２００と、ＶＲＡＭ２００の内容をタッチパネル式ドットマトリクスＬＣＤ２０２に出力させるためのＬＣＤドライバ２０１と、タッチパネル式ドットマトリクスＬＣＤ２０２を押下された時に位置情報や押下強度などを計算しタッチボタン情報を通知するタッチパネルドライバ２０３と、を含む。
【００１３】
図３は、本表示装置の操作部１０６の外観構成図であり、タッチパネル式ドットマトリクスＬＣＤ２０２、数字情報などを入力するためのテンキー５０２、機能設定などに用いる登録キー５０３、および設定入力キーであるセットキー５０５と、表示部のカーソル移動などに用いる左右上下方向キー５０６、を含む。
【００１４】
図４は、タッチパネル式ドットマトリクスＬＣＤ２０２に表示されているタッチボタンを表した図である。タッチボタン２２１はタッチパネル式ドットマトリクスＬＣＤ２０２に表示されている仮想ボタンを表したもので、ユーザがタッチボタン２２１を押下するとタッチパネルドライバ２０３を通じて中央演算処理部１００に通知される。フォーカス２２０はユーザがハードキー入力モードで操作している時に、タッチボタン２２１が選択されていることを示唆するための手段であり、例えばフォーカス２２０がタッチボタン２２１を示唆している時にセットキー５０５を押下するとタッチボタン２２１が決定されたことになる。本表示装置が実行すべき動作は、ユーザがタッチパネル式ドットマトリクスＬＣＤ２０２上のタッチボタン２２１を直接触って押下した場合と、ハードキーを用いてフォーカス２２０をタッチボタン２２１に合わせてセットキー５０５を押下した場合とでは、同じである。
【００１５】
図５は、ＲＯＭ１０１の構成図である。ＲＯＭ１０１は、本表示装置のある機能を起動した際に最初にハードキー入力モードで立ち上がるのかタッチパネル入力モードで立ち上がるのかを設定してあるモードデフォルト記憶エリア１１１と、本表示装置のある機能を起動した際にモードデフォルト記憶エリア１１１がハードキー入力モードであった時に表示するフォーカス位置を最初にどの位置に表示するのかを設定してあるフォーカス位置デフォルト記憶エリア１１２と、を含む。
【００１６】
図６は、記憶部ＤＲＡＭ１０３の構成図である。記憶部ＤＲＡＭ１０３は、本表示装置をハードキー入力モードからタッチパネル入力モードに切り替えた際にフォーカス位置を記憶しておくためのフォーカス位置記憶エリア１３１を含む。
【００１７】
次に図７を用いて本表示装置を立ち上げてから、表示部２０２に表示を行い、ハードキー入力モードとタッチパネル入力モードを切り替えながら操作をするフローを説明する。
【００１８】
本フローはＳ７０１から始まり、Ｓ７０２に遷移する。Ｓ７０２では表示部２０２に仮想ボタンやその他画面構成に必要なグラフィックパーツを表示してＳ７０３に進む。Ｓ７０３では本表示装置が本フローを実行する際に最初にハードキー入力モードになっているのか、タッチパネル入力モードになっているのかを判断するために、モードデフォルト記憶エリア１１１の値を取得し、ハードキー入力モードであると判断したのならＳ７０４に進み、タッチパネル入力モードであると判断したのならＳ７１１に進む。Ｓ７０４では、ハードキー入力モードに必要なフォーカスを表示し、Ｓ７０５に進む。Ｓ７０５ではハードキー入力モードの待機状態になっており、ハードキーによる入力またはタッチパネルによる入力を周期的に監視している。このときどちらかが押下されたことを検知するか、一定時間が経過したらＳ７０６に進む。Ｓ７０６ではタッチパネルの仮想ボタンが押下されたのかを判断し、そうであるならＳ７０９に進み、そうでなければＳ７０７に進む。Ｓ７０７ではハードキーが押下されたのかを判断し、そうであればＳ７０８に進み押下されたボタンに対応した所定の操作を実行してＳ７０５に戻る。そうでなければハードキーおよびタッチパネルの仮想ボタンはどちらも押下されていないと判断しＳ７０５に戻る。Ｓ７０９ではタッチパネルの仮想ボタンが押下されたので仮想ボタンに対応した所定の操作を実行してＳ７１０に進む。Ｓ７１０ではタッチパネル入力モードに遷移するため、タッチパネル入力モードでは不必要なフォーカスを表示部２０２から消去してＳ７１１に進む。Ｓ７１１ではタッチパネル入力モードの待機状態になっており、このときは画面上にフォーカスは表示されていない。Ｓ７１１でハードキーによる入力またはタッチパネルによる入力を周期的に監視している。このときどちらかが押下されたことを検知するか、一定時間が経過したらＳ７１２に進む。Ｓ７１２ではハードキーが押下されたのかを判断し、そうであるならタッチパネル入力モードからハードキー入力モードに遷移するためＳ７１５に進み、押下されたハードキーに対応した所定の操作を実行し、Ｓ７０４に進む。Ｓ７１２でハードキーは押下されていなかったらＳ７１３に進む。Ｓ７１３ではタッチパネルの仮想ボタンが押下されたのかを判断し、そうであればＳ７１４に進み押下されたボタンに対応した所定の操作を実行してＳ７１１に戻る。そうでなければハードキーおよびタッチパネルの仮想ボタンはどちらも押下されていないと判断しＳ７１１に戻る。
【００１９】
図７のフローを実行することで、ハードキー入力モードとタッチパネル入力モードの切替を自動的に行うことができ、ハードキー入力モードの時にユーザがタッチパネルを触ることでタッチパネル入力モードに遷移し、タッチパネル入力モードの時にユーザがハードキーを触ることでハードキー入力モードに遷移する。これにより、ユーザは入力モードを切り替える際、少ない手順で行うことができ、また入力モードを切り替える手段を知らなくても問題が無くなる。また、Ｓ７０３においてモードデフォルト記憶エリアに記憶されている値をするために、ハードキーのみを用いて本表示装置を操作したいユーザ、或いはタッチパネルのみを用いて本表示装置を操作したいユーザにも対応することが出来る。
【００２０】
次に図８を用いて、ハードキー入力モードからタッチパネル入力モードに遷移する際にフォーカス位置を記憶して、再びハードキー入力モードに遷移した際に記憶したフォーカス位置にフォーカスを表示するフローを説明する。図８は図７の特定の場合を表したフローであり、さらにフォーカス位置を記憶することを追加したものである。
【００２１】
図８はＳ８０１から始まりＳ８０２に遷移する。Ｓ８０２では表示部２０２に仮想ボタンを表示し、Ｓ８０３に遷移する。本フローはモードデフォルト記憶エリア１１１にハードキー入力モードがセットされていると仮定したものであるので、Ｓ８０３では表示部２０２にフォーカスを表示し、Ｓ８０４に進む。Ｓ８０４ではハードキー入力モードの待機状態になっており、ハードキーによる入力またはタッチパネルによる入力を周期的に監視している。本フローではＳ８０５によってタッチパネルの仮想ボタンが押下された事にし、Ｓ８０６に遷移する。Ｓ８０６ではフォーカス位置をフォーカス位置記憶エリア１３１に記憶し、Ｓ８０７に遷移する。Ｓ８０７では表示部２０２からフォーカスを消去し、Ｓ８０８に進む。Ｓ８０８ではタッチパネル入力モードの待機状態となる。本フローではＳ８０９でハードキーが押下された事にし、Ｓ８１０に進む。Ｓ８１０では、フォーカス位置記憶エリア１３１に記憶されている位置を読み出してフォーカスを表示する。
【００２２】
図８のフローを実行することでハードキー入力モードとタッチパネル入力モードを頻繁に切り替えて操作を行うユーザにとって、ハードキーで入力していて、途中でタッチパネル入力モードに切り替えてから再びハードキー入力モードにしたときでも、フォーカスの位置が記憶されているためフォーカス移動を最初からやり直す手間を省くことが出来る。
【００２３】
次に図９を用いて、ハードキー入力モードからタッチパネル入力モードに遷移して、再びハードキー入力モードに遷移した際にフォーカス位置を初期化するフローを説明する。図９は図７の特定の場合を表したフローであり、さらにフォーカス位置を初期化することを追加したものである。
【００２４】
図９はＳ９０１から始まりＳ９０２に遷移する。Ｓ９０２では表示部２０２に仮想ボタンを表示し、Ｓ９０３に遷移する。本フローはモードデフォルト記憶エリア１１１にハードキー入力モードがセットされていると仮定したものであるので、Ｓ９０３では表示部２０２にフォーカスを表示し、Ｓ９０４に進む。Ｓ９０４ではハードキー入力モードの待機状態になっており、ハードキーによる入力またはタッチパネルによる入力を周期的に監視している。本フローではＳ９０５によってタッチパネルの仮想ボタンが押下された事にし、Ｓ９０６に遷移する。Ｓ９０６では、表示部２０２からフォーカスを消去し、Ｓ９０７に進む。Ｓ９０７ではタッチパネル入力モードの待機状態となる。本フローではＳ９０８でハードキーが押下された事にし、Ｓ９０９に進む。Ｓ９０９では、フォーカス位置デフォルト記憶エリア１１２に記憶されている位置を読み出してフォーカスを表示する。
【００２５】
図９のフローを実行することで、ハードキー入力モードとタッチパネル入力モードを頻繁に切り替えて操作を行うユーザにとって、ハードキーで入力していて、途中でタッチパネル入力モードに切り替えてから再びハードキー入力モードにしたときでも、現在フォーカスが何処を指しているのか容易に判ることが出来る。例えば選択肢が非常に多いスクロール画面などにおいて、前回のフォーカスが存在した位置ではなく、毎回決まった位置に戻ることによって、ユーザは安心して操作をすることが出来る。
【００２６】
図１０は、本表示装置の表示部と操作部が切り離され、何らかの通信手段を用いて動作をする例を示したものである。この時も操作部１００１で操作された信号が前記通信手段を介して表示部１００２に通信されるので図７、図８、図９で示したフローと同様の操作を実現することができる。
【００２７】
操作部がリモコン式になっている装置にも対応することが出来る。
【図面の簡単な説明】
【００２８】
【図１】実施形態の表示装置の構成例を示す図である。
【図２】図１に示す表示部１０５の詳細例を表した図である。
【図３】図１に示す操作部１０６の詳細例を示した図である。
【図４】図３に示す表示部２０２の詳細例を示した図である。
【図５】図１に示すＲＯＭ１０１の詳細例を示した図である。
【図６】図１に示すＲＯＭ１０３の詳細例を示した図である。
【図７】本表示装置におけるハードキー入力モードとタッチパネル入力モードの切り替えを示した図である。
【図８】本表示装置におけるハードキー入力モードとタッチパネル入力モードの切り替えをした際にフォーカス位置を記憶するフローを示した図である。
【図９】本表示装置におけるハードキー入力モードとタッチパネル入力モードの切り替えをした際にフォーカス位置を初期化するフローを示した図である。
【図１０】本表示装置における表示部と操作部が切り離され独立して実装された例を示した図である。
【符号の説明】
【００２９】
１００  ＣＰＵ
１０１  ＲＯＭ
１０２  不揮発性ＲＡＭ
１０３  データ記憶部
１０５  表示部
１０６  操作部
１１０  システムバス
【図１】
2007011862.tif 000003
【図２】
2007011862.tif 000004
【図３】
2007011862.tif 000005
【図４】
2007011862.tif 000006
【図５】
2007011862.tif 000007
【図６】
2007011862.tif 000008
【図７】
2007011862.tif 000009
【図８】
2007011862.tif 000010
【図９】
2007011862.tif 000011
【図１０】
2007011862.tif 000012